(57)【特許請求の範囲】
【請求項１】
携帯端末用の第１コンテンツを記憶したサーバーに第１の通信回線を通じてアクセス可能な携帯端末において、
上記サーバーには上記第１コンテンツに対応して作成されたテレビジョン用の第２コンテンツも記憶されており、
第２の通信回線を通じて上記サーバーにアクセス可能なテレビジョンと端末間通信を行う無線通信部と、
上記第１の通信回線を通じてサーバーから取得した第１コンテンツを表示し、当該取得した第１コンテンツを解析することにより当該取得した第１コンテンツに対応する第２コンテンツが上記サーバーに記憶されていると判断した場合に、当該取得した第１コンテンツに対応する第２コンテンツが存在することを示すアイコンを表示する表示部と、
上記テレビジョンの表示を当該携帯端末の表示に同期させる制御情報を上記端末間通信により上記テレビジョンに送信する同期部と、を具備し、
上記同期部は、上記アイコンに対する操作があった場合に、上記取得した第１コンテンツに対応する第２コンテンツの所在情報を上記端末間通信により上記テレビジョンに送信する、ことを特徴とする携帯端末。
【請求項２】
上記同期部が、上記携帯端末と同期可能なテレビジョンを上記端末間通信により発見した場合に、上記表示部は上記アイコンの表示を行う請求項１に記載の携帯端末。
【請求項３】
上記同期部は、上記携帯端末と上記テレビジョンとの同期状況を上記表示部に表示する請求項１または請求項２に記載の携帯端末。
【請求項４】
上記表示部に表示された第１コンテンツに対する操作を行う操作部を更に備え、
上記同期部は、上記テレビジョンにおいて上記第１コンテンツに対応する第２コンテンツの表示が完了するまで上記操作部に対する操作をロックする請求項１〜請求項３の何れか１項に記載の携帯端末。
【請求項５】
上記同期部は、ＸＭＰＰ（eXtensible Messaging and Presence Protocol）にて上記テレビジョンと上記携帯端末とを同期させる請求項１〜請求項４の何れか１項に記載の携帯端末。
【請求項６】
携帯端末用の第１コンテンツと該第１コンテンツに対応して作成されたテレビジョン用の第２コンテンツとを記憶したサーバーに第１の通信回線を通じてアクセス可能な携帯端末と、上記サーバーに第２の通信回線を通じてアクセス可能なテレビジョンとを備える情報表示連動システムであって、
上記携帯端末は、
上記テレビジョンと端末間通信を行う第１無線通信部と、
上記第１の通信回線を通じて上記サーバーから取得した第１コンテンツを表示し、当該取得した第１コンテンツを解析することにより当該取得した第１コンテンツに対応する第２コンテンツが上記サーバーに記憶されていると判断した場合に、当該取得した第１コンテンツに対応する第２コンテンツが存在することを示すアイコンを表示する第１表示部と、
上記アイコンに対する操作があった場合に、上記取得した第１コンテンツに対応する第２コンテンツの所在情報を上記端末間通信により上記テレビジョンに送信する第１同期部と、を備え、
上記テレビジョンは、
上記第１無線通信部と端末間通信を行う第２無線通信部と、
上記所在情報を上記端末間通信により上記第１同期部から取得する第２同期部と、
上記所在情報に基づいて上記第２の通信回線を通じて上記サーバーから取得した第２コンテンツを表示する第２表示部と、を備えることを特徴とする情報表示連動システム。
【請求項７】
上記携帯端末は、上記第１表示部に表示された第１コンテンツに対する操作を行う操作部を更に備え、
上記第１同期部は、上記操作により発生するイベントに対応した制御情報を上記端末間通信により上記テレビジョンに送信し、
上記第２表示部は、上記制御情報に基づいてイベントを上記表示している上記第２コンテンツに発生させる請求項６に記載の情報表示連動システム。
【請求項８】
上記第１表示部に表示される上記第１コンテンツが決済画面であるときは、上記第２表示部は、上記第１コンテンツに対応していないダミー画面を表示する請求項６または請求項７に記載の情報表示連動システム。
【発明の詳細な説明】
【技術分野】
【０００１】
本発明は、携帯端末および情報表示連動システムに関し、特に、携帯端末用の第１コンテンツを記憶したサーバーに第１の通信回線を通じてアクセス可能な携帯端末および携帯端末用の第１コンテンツと該第１コンテンツに対応して作成されたテレビジョン用の第２コンテンツとを記憶したサーバーに第１の通信回線を通じてアクセス可能な携帯端末と、上記サーバーに第２の通信回線を通じてアクセス可能なテレビジョンとを備える情報連動システムに関する。
【背景技術】
【０００２】
近年、テレビは、デジタル放送の開始やインターネットとの通信機能の搭載に伴って多機能・高機能化してきている。その一方で、デジタルテレビのリモコンや操作パネルは、ボタン数減少やデザイン性向上の要望が強いことから簡易化される傾向にある。このような現状に対応するために、テレビと他の機器とを連携させる技術が模索されている。
【０００３】
例えば、特許文献１には、操作用端末の操作に従って表示用端末にサーバー上のコンテンツを表示させる技術が開示されている。この技術では、携帯電話や操作用ＰＣといった操作用端末からサーバーにアクセスして表示すべきコンテンツに表示用端末ＩＤを関連付けるとともに、表示用端末においてウェブブラウザあるいは専用のアプリケーションを通じてサーバーにアクセスさせ、サーバーから表示用端末にコンテンツまたはその参照先を送信させている。
【０００４】
また、例えば特許文献２には、移動体端末をデジタルテレビ（ＤＴＶ）のリモコンとして機能させる技術について開示されている。この技術では、管理装置がサーバーにアクセスしてコンテンツデータを取得するようにしており、移動体端末やＤＴＶは管理装置を経由してコンテンツデータを取得する。このとき、まず、移動体端末のＩＤとデジタルテレビ（ＤＴＶ）のＩＤとを関連付けて管理装置に登録しておき、移動体端末もしくはＤＴＶが切替要求を管理装置に入力すると、コンテンツデータの送信先が移動体端末とＤＴＶとの間で切り替わるようになっている。
【０００５】
また、例えば特許文献３に記載のブロードキャストシステムは、放送局からブロードキャストされる対話的プログラムを受信する機能とＷＡＰ（Wireless Application Protocol）通信機能とを備えたテレビ受信機と、放送局の対話的プログラムと同期したＷＡＰ通信可能なインターネットサーバーと、このインターネットサーバーに接続されたトランシーバとを備え、対話的プログラムに対する応答をトランシーバとインターネットサーバーとを介して送信できる構成となっている。
【０００６】
また、例えば特許文献４には、赤外線を用いてテレビと通信可能な携帯端末を利用してテレビ受像機にチャンネル信号を出力し、テレビ受像機にザッピングを行わせる技術について開示されている。
また、例えば特許文献５には、テレビ番組連動データをテレビで受信し、近距離無線通信によって携帯端末に転送して表示する技術について開示されている。
【先行技術文献】
【特許文献】
【０００７】
【特許文献１】特開２００９−１５９１８８号公報
【特許文献２】特開２００８−２７８２６６号公報
【特許文献３】特表２００４−５０２３８２号公報
【特許文献４】特開２００５−３３３４０１号公報
【特許文献３】特開２００２−０１５１５１号公報
【発明の概要】
【発明が解決しようとする課題】
【０００８】
以上説明した特許文献１，２の技術では、携帯端末などとデジタルテレビとを連動させることにより、デジタルテレビにおけるユーザーインターフェースの乏しさをある程度は改善している。しかし、ネットワークに対応したデジタルテレビと携帯端末との連携にはまだ改善の余地が多くある。
【０００９】
例えば、デジタルテレビでは、ブロードバンド回線を通じてネットワーク接続しているが、このブロードバンド回線はセキュリティの信頼性が低く、インターネットショッピング等の決済を行うには不安があった。また、ブロードバンド回線用に作成されたリッチコンテンツは、年々、サイズが大きくなってきているし、広告などの不要な情報も多いため、ユーザーは、常にリッチコンテンツを表示したいわけではない。
【００１０】
本発明は、上記課題に鑑みてなされたもので、ネットワークに対応したテレビと携帯端末との連動を向上させ、ウェブ上のサービスを最適な方法で得られる携帯端末および情報表示連動システムの提供を目的とする。
【課題を解決するための手段】
【００１１】
上記課題を解決するために、本発明にかかる携帯端末では、携帯端末用の第１コンテンツを記憶したサーバーに第１の通信回線を通じてアクセス可能な携帯端末において、無線通信部と、表示部と、同期部とを備える構成としてある。なお、上記サーバーには、上記第１コンテンツに対応して作成されたテレビジョン用の第２コンテンツも記憶されている。
【００１２】
上記構成において、上記無線通信部は、第２の通信回線を通じて上記サーバーにアクセス可能なテレビジョンと端末間通信を行う。上記第２の通信回線と上記第１の通信回線とは異なる通信回線であって、例えば、第２の通信回線は特定の種類の携帯端末でしかアクセスできないような専用通信回線や、他のユーザーが使用できない専用通信回線や、通信内容を暗号化することにより通信回線の他のユーザーからは解読できないようにされたバーチャルプライベート回線などで構成することができる。また、第１の通信回線は、不特定多数のユーザーに開放されている通信回線であり、例えば、インターネットやローカルエリアネットワークなどである。上記端末間通信とは、２台の端末が１対１で行う通信であり、いわゆるＰ２Ｐ（Peer to Peer）通信などが該当する。
【００１３】
上記構成において、上記表示部は、上記第１の通信回線を通じてサーバーから取得した第１コンテンツを表示する。第１コンテンツは、上記携帯端末での表示に最適化されており、データサイズが小さいシンプルコンテンツである。これに対し、後述の第２コンテンツは、携帯端末の画面よりも画面サイズの大きいテレビジョンでの表示に最適化されており、データサイズの大きいリッチコンテンツである。従って、上記第１の通信回線の通信速度は、上記第２の通信回線の通信速度よりも遅くても構わない。上記第１コンテンツおよび第２コンテンツは、例えば、ウェブページやインターネットテレビ放送番組などのように、映像を画面に表示するためのコンテンツであり、画像や音声を含んで構成されている。
【００１４】
上記構成において、上記同期部は、上記第１コンテンツに含まれる第２コンテンツの所在情報を上記端末間通信により上記テレビジョンに送信し、上記テレビジョンに上記サーバーから上記第２コンテンツを取得させて上記テレビジョンの画面に上記第２コンテンツを表示させる。上記第１コンテンツと上記第２コンテンツとは、互いに密接に関連した構成になっており、第１コンテンツによって表示される部品や情報に対応する部品や情報が上記第２コンテンツにも表示されている。従って、上記携帯端末と上記テレビジョンの表示とを同期させることにより、携帯端末で上記第１コンテンツを閲覧しつつ、大画面で閲覧したいときや各部品や情報を詳細に観察したいときは上記テレビジョンに表示された第２コンテンツを閲覧するといった使い分けが可能になる。
【００１５】
また、本発明の選択的な一態様として、上記表示部に表示された第１コンテンツに対する操作を行う操作部を更に備え、上記同期部は、上記操作により発生するイベントに対応したイベントを上記テレビジョンに表示されている上記第２コンテンツに発生させる。上記第１コンテンツと上記第２コンテンツとは、一方のコンテンツで発生可能なイベントに対応するイベントが他方のコンテンツでも発生可能になっている。イベントとは、表示されるアイテムの種類やアイテム間の相対的な位置関係や、操作が行われたときに発生するアクションなどである。また、上記第１コンテンツには、各イベントに対応する第２コンテンツのイベントの発生方法を示す情報が記載されており、この情報を上記テレビジョンに送信することにより、上記テレビジョンは上記第１コンテンツのイベントと対応するイベントを発生することができる。よって、上記操作部により上記第１コンテンツに対して行われた操作により発生するイベントに対応する第２コンテンツのイベントの発生方法を示す情報を上記テレビジョンに送信することにより、上記テレビジョンに表示されている上記第２コンテンツにも同様のイベントを発生させることができる。従って、上記操作部に対して行われる各操作と同様の操作を上記テレビジョンにも行ったことになり、操作性に優れた携帯端末を利用してテレビジョンの画面に表示された第２コンテンツの操作が可能になる。
【００１６】
また、本発明の選択的な一態様として、上記同期部は、上記携帯端末と同期可能なテレビジョンを上記端末間通信により発見すると、上記表示部に同期可能である旨の表示を行うようにしてもよい。該構成によれば、ユーザーは、同期可能なテレビジョンが存在することを容易に把握することができる。
【００１７】
また、本発明の選択的な一態様として、上記同期部は、上記携帯端末と上記テレビジョンとの同期状況を上記表示部に表示するようにしてもよい。該構成によれば、ユーザーは、同期状況を容易に把握することができる。
【００１８】
また、本発明の選択的な一態様として、上記同期部は、上記テレビジョンにおいて上記第１コンテンツに対応する第２コンテンツの表示が完了するまで上記操作部に対する操作をロックするようにしてもよい。該構成によれば、上記同期部の同期が適切に調停されるようになる。このような同期や調停は、例えば、ＸＭＰＰ（eXtensible Messaging and Presence Protocol）などのプロトコルにて行うことができる。
【００１９】
また、本発明の選択的な一態様として、上記表示部に表示される上記第１コンテンツが決済画面であるときは、上記同期部は、上記テレビジョンの画面に上記第１コンテンツに対応していないダミー画面を表示させる。なお、決済画面の第１コンテンツに対応してダミー画面を上記第２コンテンツとして表示させるためには、例えば、決済画面の第１コンテンツに対応して作成される第２コンテンツを予めダミー画面となるように作成して上記サーバーに格納しておいてもよいし、上記第１コンテンツに記載される上記第２コンテンツの所在情報をダミー画面としたり上記第１コンテンツに発生するイベントに対応して発生する第２コンテンツのイベントをダミーのイベント情報としたりすることにより実現してもよい。該構成によれば、決済情報が送受信される際には第１の通信回線を通じて通信を行うようになる。従って、上述したように、第１の通信回線を専用通信回線とすることにより、セキュリティを向上させることが可能となる。
【００２０】
上述した携帯端末は、他の機器に組み込まれた状態で実施されたり他の方法とともに実施されたりする等の各種の態様を含む。また、本発明は上記携帯端末とテレビジョンとの表示を連動させる情報表示連動システム、上記携帯端末の構成に対応した工程を有する制御方法、上記携帯端末の構成に対応した機能をコンピューターに実現させるプログラム、該プログラムを記録したコンピューター読み取り可能な記録媒体、等としても実現可能である。これら情報連動システム、携帯端末制御方法、携帯端末制御プログラム、該プログラムを記録した媒体、の発明も、上述した作用、効果を奏する。むろん、請求項２〜６に記載した構成も、前記システムや前記方法や前記プログラムや前記記録媒体に適用可能である。
【発明の効果】
【００２１】
以上説明したように本発明によれば、携帯端末での閲覧とネットワークに対応したテレビジョンでの閲覧と連動させ、ウェブ上にあるサーバーの提供するサービスを受ける際に、携帯端末とテレビジョンのいずれか適切な方で閲覧することが可能な携帯端末を提供することができる。
また本発明によれば、携帯端末の表示とテレビジョンの表示とを同期させているときに、操作性に優れた携帯端末を利用してテレビジョンの画面に表示された第２コンテンツの操作が可能になる。
また本発明によれば、ユーザーは、同期可能なテレビジョンが存在することを容易に把握することができる。
また本発明によれば、ユーザーは、同期状況を容易に把握することができる。
また本発明によれば、上記同期部の同期が適切に調停される。
また本発明によれば、既存のプロトコルを利用して同期を実現できる。
また本発明によれば、携帯端末での閲覧とネットワークに対応したテレビジョンでの閲覧と連動させ、ウェブ上にあるサーバーの提供するサービスを受ける際に、携帯端末とテレビジョンのいずれか適切な方で閲覧することが可能な携帯端末とテレビジョンの情報表示連動システムを提供することができる。
【図面の簡単な説明】
【００２２】
【図１】情報表示連動システムの構成を示す図である。
【図２】情報表示連動システムの機能構成を示すブロック図である。
【図３】携帯用コンテンツの構成を示す概念図である。
【図４】携帯用コンテンツとＴＶ用コンテンツとにより表示される画面の一例を示す図である。
【図５】同期処理の流れを示すフローチャートである。
【図６】コンテンツ表示処理のフローチャートである。
【図７】同期表示中の情報表示連動システムにおけるデータの流れを示す説明図である。
【図８】ステップＳ２６０の処理の説明図である。
【発明を実施するための形態】
【００２３】
以下、下記の順序に従って本発明の実施形態を説明する。
（１）本実施形態の構成：
（２）同期処理：
（３）コンテンツ表示処理：
（４）まとめ：
【００２４】
（１）本実施形態の構成： 
図１は、本発明の一実施形態にかかる情報表示連動システムの構成を示す図である。同図において、情報表示連動システム１００は、インターネットＩＮを介してテレビ放送や動画提供やウェブページのコンテンツ等の提供をおこなうウェブサーバーとして機能するサーバー１０と、インターネットＩＮに接続可能なテレビジョン２０と、携帯電話網等の専用通信回線ＰＮを介してインターネットＩＮに接続可能な携帯端末３０と、を備えている。
【００２５】
テレビジョン２０とサーバー１０はインターネットＩＮを介して通信可能に接続されており、携帯端末３０とサーバー１０は専用通信回線ＰＮで通信可能に接続されている。本実施形態においては、専用通信回線ＰＮが第１の通信回線を構成し、インターネットＩＮが第２の通信回線を構成する。なお、図１ではテレビジョン２０のアクセスするサーバーと携帯端末３０のアクセスするサーバーとを同一のサーバー１０としてあるが、各々アクセスするサーバーに携帯用コンテンツとＴＶ用コンテンツがそれぞれ格納されていれば、サーバーは別体であってもよい。
【００２６】
なお、専用通信回線ＰＮは、回線上で送受信される情報が暗号化され、専用通信回線の管理コンピューターに予め登録された機器でしか接続できないようになっている。従って、専用通信回線網は、インターネット回線網よりも情報漏洩の心配の少ない高セキュリティになっている。ＴＶ２０は、例えばＡｎｄｏｒｏｉｄのような高度なＧＵＩ（Graphical User Interface）を実現可能なＯＳ（Operating System）を搭載している。携帯端末３０は、例えば、携帯電話機、ＰＤＡ、パームトップコンピューター、等であり、表示画面が小さく、操作性の高いユーザーインターフェースを備えている。
【００２７】
図２は、情報表示連動システム１００の機能構成を示すブロック図である。
同図に示すように、サーバー１０は、コンテンツ格納部１１とサーバー処理部１２とを備えており、サーバー処理部１２はウェブサーバーとして機能する。コンテンツ格納部１１は、ＨＤ（Hard Disk）のような不揮発性の大容量記憶媒体で構成され、ＴＶ用コンテンツと携帯用コンテンツとが格納されている。ＴＶ用コンテンツと携帯用コンテンツは密接に関連付けて作成されている。本実施形態において、携帯用コンテンツが携帯端末用の第１コンテンツを構成し、ＴＶ用コンテンツがテレビジョン用の第２コンテンツを構成する。
【００２８】
図３は携帯用コンテンツの構成を示す概念図である。同図に示すように、携帯用コンテンツは、表示単位毎に作成された部品データの組合せで構成されている。各部品データは、端末画面を構成するためのデータ（ＨＴＭＬ（HyperText Markup Language）データなど）と、付随する画像、動画、音楽などのデータで構成されている。また、各部品データには複数の属性が定義されている。属性は、アイテム名、形状、配置、アクション等である。
【００２９】
また、携帯用コンテンツに対応するＴＶ用コンテンツがある場合には、データ全体もしくは部品データごとに、対応するＴＶ用コンテンツに関するテレビ用情報とが含まれている。テレビ用情報は、部品データが表示データの場合にはＴＶ用コンテンツの有無やＴＶ用コンテンツの入手先（ＵＲＬやＵＲＩ等）で構成され、部品データが何らかのイベントを発生させるための部品データの場合にはＴＶ用コンテンツの有無やテレビ用のイベントを発生させるための制御情報で構成される。
【００３０】
図４は携帯用コンテンツとＴＶ用コンテンツとにより表示される画面の一例を示す図である。同図において、テレビジョン２０の画面には３Ｄ画像が表示されており、携帯端末３０の画面には２Ｄ画像が表示している。両画像は、対応する部品データであるが、携帯用コンテンツでは情報量の少ない２Ｄ画像が表示されるようになっており、ＴＶ用コンテンツでは情報量の多い３Ｄ画像が表示されるようになっている。
【００３１】
すなわち、携帯用コンテンツはデータ量の少ないシンプルコンテンツであり、ＴＶ用コンテンツはデータ量の多いリッチコンテンツである。携帯端末３０は表示画面が小さく通信速度が低く、テレビジョン２０は画面が大きく通信速度の速いブロードバンド回線に接続されているからである。２Ｄ／３Ｄの使い分けの他、画像のサイズや解像度、動画のサイズや解像度やフレームレートを変更したり、画面レイアウトを最適化したりしてもよい。画面レイアウトの最適化とはスクロールの有無やフレーム構成の有無などであり、シンプルコンテンツではスクロール方向を縦横の一方のみに限定したりフレーム構成を使わないようにし、リッチコンテンツではスクロール方向を限定せずフレーム構成を利用可能にする等の使い分けができる。
【００３２】
テレビジョン２０は、図２に示すように、Ｗｉｆｉ（Wireless Fidelity）などの無線通信によって携帯端末３０との間で端末間通信（例えばＰ２Ｐ（Peer to Peer）通信など）するための無線通信部２１と、映像を表示する表示部２２と、ユーザーの操作入力を受付ける操作部２３と、無線通信部２１を介して通信する携帯端末３０との間で表示を同期させる同期マネージャー２４と、チューナーから入力されたテレビ放送信号に基づいて映像を表示部に表示させたり音声を不図示のスピーカに出力させたりするテレビ処理部２５と、ＴＶ用のリッチコンテンツデータに基づいて映像を表示部に表示させたり音声を不図示のスピーカに出力させたりするコンテンツ表示部２６と、に相当する機能を備えている。本実施形態においては、無線通信部２１が第２無線通信部を構成し、表示部２２が第２表示部を構成し、同期マネージャー２４が第２同期部を構成する
【００３３】
コンテンツ表示部２６は、ウェブページを閲覧するウェブブラウザやインターネットテレビ放送に基づく映像や音声を表示する映像表示プログラム等であり、インターネットを介して取得したコンテンツデータに基づく表示制御や音声出力制御を行う。むろん、プログラムと同様の機能を備えた専用のカスタムＩＣ（Integrated Circuit）で構成してもよい。コンテンツ表示部２６は、携帯端末３０の操作できるように構成されており、同期マネージャー２４を介して入力される制御情報に基づいて表示を変更できるようになっている。以下の説明ではコンテンツ表示部２６がウェブブラウザである場合を例にとって説明する。
【００３４】
なお、無線通信部２１は、テレビジョン２０の備える無線通信機能を利用して携帯端末３０と通信してもよいし、テレビジョン２０の接続された所定のイーサネット（登録商標）内に無線通信機能を備えたアクセスポイントが接続されているのであれば、そのアクセスポイントを経由して携帯端末３０と通信するようにしてもよい。
【００３５】
また、携帯端末３０は、図２に示すように、Ｗｉｆｉ（Wireless Fidelity）などの無線通信によってテレビジョン２０との間で端末間通信（例えばＰ２Ｐ通信など）するための無線通信部３１と、映像を表示する表示部３２と、ユーザーの操作入力を受付ける操作部３３と、同期マネージャー３４と、携帯用のシンプルコンテンツデータに基づいて映像を表示部に表示させたり音声を不図示のスピーカに出力させるコンテンツ表示部３５とを備えている。本実施形態においては、無線通信部３１が第１無線通信部を構成し、表示部３２が表示部もしくは第１表示部を構成し、操作部３３が操作部を構成し、同期マネージャー３４が同期部もしくは第１同期部を構成する。
【００３６】
コンテンツ表示部３５は、ウェブページを閲覧するウェブブラウザやインターネットテレビ放送に基づく映像や音声を表示する映像表示プログラム等であり、インターネットを介して取得したコンテンツデータに基づく表示制御や音声出力制御を行う。むろん、プログラムと同様の機能を備えた専用のカスタムＩＣで構成してもよい。コンテンツ表示部３５は、同期マネージャー２４を介してテレビジョン２０に制御情報を入力することにより、テレビジョン２０の表示を携帯端末３０の表示に同期させられるようになっている。以下の説明ではコンテンツ表示部２６がウェブブラウザである場合を例にとって説明する。
【００３７】
（２）同期処理： 
次に、図５を参照しつつテレビジョン２０と携帯端末３０の同期処理について説明する。図５は、同期処理の流れを示すフローチャートである。同期処理は同期マネージャー３４が実行する処理であり、この処理を実行するために同期マネージャー３４は、端末間通信によって同期通信可能なテレビジョン２０を探索する探索部３４ａと、同期通信可能なテレビジョン２０との間で同期通信を行う同期通信部３４ｂと、を備えている。本同期処理は、同期動作が可能なアプリケーションが起動されたときに呼び出されて実行される。
【００３８】
処理が開始されると、探索部３４ａが同期通信可能なテレビジョン２０を探索する（ステップＳ１００）。このとき、探索部３４ａは、例えば、無線通信部３１を介してＭｕｌｔｉＣａｓｔＤＮＳによって端末間通信を可能なテレビジョンを発見する。次に、探索部３４ａは、同期マネージャー３４において同期制御に利用することになっている連動サービスをテレビジョンが許容するか否かを問合せる。そして、この問合せに対して、許容すると返答したテレビジョンを同期通信可能なテレビジョンと特定する。なお、同期可能なテレビジョンが無い場合は、同期処理を終了する（ステップＳ１０５：Ｎｏ）。
【００３９】
同期通信可能なテレビジョンが特定されると（ステップＳ１０５：Ｙｅｓ）、同期通信部３４ｂは、テレビジョン２０との間にＸＭＰＰ（eXtensible Messaging and Presence Protocol）でセッションを確立する（ステップＳ１１０）。このようにしてセッションが確立すると、テレビジョン２０との同期表示が可能な状態になる。以上のようにして行われる同期表示の準備を整える処理はバックグランドで行われており、その間コンテンツ表示プログラムは、下記のコンテンツ表示処理を実行している。
【００４０】
（３）コンテンツ表示処理： 
図６は携帯端末で実行されるコンテンツ表示処理のフローチャートであり、図７は同期表示中の情報表示連動システムにおけるデータの流れを示す説明図である。このコンテンツ表示処理では、同期表示が選択されたときに、上述の同期処理によって確立したセッションを利用してテレビジョン２０と携帯端末３０の同期表示を行うことになる。
【００４１】
このコンテンツ表示処理を実行するために、コンテンツ表示部３５は、サーバー１０から携帯用コンテンツを取得するコンテンツ取得部３５ａと、携帯端末１０の表示部３２に携帯用コンテンツに基づく表示を行う携帯表示制御部３５ｂと、テレビジョン２０などの他の端末との連動状況を表示部３２に表示する連動状況表示部３５ｃと、を備えている。
【００４２】
処理が開始されると、コンテンツ取得部３５ａは、操作部３３に行われた操作に対応する携帯用コンテンツを専用通信回線ＰＮを介してサーバー１０に要求し、この要求に対する返答としてサーバー１０から送信される携帯用コンテンツを取得する（ステップＳ２００）。このとき、コンテンツ取得部３５ａは、図７（Ａ）のように、サーバー１０のサーバー処理部１２との間で同期マネージャー３４を介してインターネットに接続するためのプロトコルに準拠した通信を行うことにより、携帯用コンテンツを取得する。このようにして取得した携帯用コンテンツに基づいて、携帯表示制御部３５ｂは表示部３２に対する表示を行う（ステップＳ２０５）。
【００４３】
このとき、連動状況表示部３５ｃは、ステップＳ２００において取得した携帯用コンテンツに対応するＴＶ用コンテンツがサーバー１０上に存在するか否かを判断する（ステップＳ２１０）。この判断は、本実施形態においては、携帯用コンテンツを解析することにより行うことができる。すなわち、図３に示すように、対応するＴＶ用コンテンツが存在するか否かは携帯用コンテンツに記載されており、この記載に基づいてＴＶ用コンテンツの有無を判断することができる。
【００４４】
連動状況表示部３５ｃは、ＴＶ用コンテンツが存在する場合はステップＳ２１５に進んで、表示部３２にＴＶ用コンテンツが存在することを示すＴＶアイコンを表示する。なお、同期処理において同期通信可能なテレビジョン２０が発見されなかったときは、このＴＶアイコンは表示されない。また、ステップＳ２１０，Ｓ２１５の処理とステップＳ２０５の処理とは、順番不不同もしくは並行して実行されてもよい。
【００４５】
次に、携帯表示制御部３５ｂは、ＴＶとの同期表示を選択されたか否かを判断する（ステップＳ２２０）。この判断はＴＶとの同期表示を選択する操作が操作部３３に行われたか否かにより判断可能であり、例えば、操作部３３を介してＴＶアイコンに対する操作の有無を判断する。同期表示が選択されると、携帯表示制御部３５ｂはステップＳ２３５に進んで同期マネージャー３４にテレビジョン２０との同期表示を指示する。
【００４６】
一方、同期表示が選択されない場合は、携帯表示制御部３５ａが、他の操作が行われたか否かを判断する（ステップＳ２２５）。携帯表示制御部３５ａは、他の操作が行われた場合はステップＳ２３０に進んでその操作に対応する処理（携帯データのダウンロード処理、ページ変更など）を行い（ステップＳ２２５：Ｙｅｓ）、ステップＳ２０５に戻る。一方、他の操作が行われていない場合はステップＳ２２０に戻る（ステップＳ２２５：Ｎｏ）。
【００４７】
同期マネージャー３４は、ステップＳ２３５において同期表示を指示されると、携帯端末３０の状態とテレビジョン２０の状態とを把握する（ステップＳ２４０）。すなわち、同期マネージャー３４は、コンテンツ表示部３５に対し、現在コンテンツ表示部３５の実行しているサービスの情報とコンテンツ表示部３５が表示部３２に表示している携帯用コンテンツに対応するＴＶ用コンテンツに関するＴＶ用情報とを要求する。コンテンツ表示部３５は、この要求に応答して、これらの情報を同期マネージャー３４に出力する。
【００４８】
同期マネージャー３４は、ステップＳ２４０で得た情報に基づいて、携帯端末３０とテレビジョン２０の表示を同期させる（ステップＳ２４５）。仮に、テレビジョン２０と携帯端末３０とが連動していなかったり、テレビジョン２０と携帯端末３０のサービスの状態が異なっていたりする場合は、テレビジョン２０の状態が携帯端末３０と同じサービスの同じ状態になるまで、同期マネージャー３４はコンテンツ表示部３５から情報を取得して同期マネージャー２４に送信する。同期マネージャー２４は、受信した情報に対応するコンテンツ表示部２６を起動させ、受信したＴＶ用情報に対応するＴＶ用コンテンツに基づく表示をコンテンツ表示部２６に行わせる。
【００４９】
同期表示が完了すると、携帯表示制御部３５ｂは操作部３３に何らかの操作が行われたか否かを判断し（ステップＳ２５０）、操作が行われた場合はこれを検知してステップＳ２５５に進み、操作が行われていない場合はステップＳ２５０の処理を繰り返し実行する。
【００５０】
ステップＳ２５５では、携帯表示制御部３５ｂが操作に対応する表示変更を行う。この操作が他のウェブページの表示を指示するものであれば、コンテンツ表示部３５は、図７（Ａ）の経路でサーバー１０から携帯用コンテンツを取得し、取得した携帯用コンテンツに基づいて表示部３２に対する表示を行う。
【００５１】
またステップＳ２６０では、携帯表示制御部３５ｂが同期マネージャー３４を介してステップＳ２５０で検知した操作に対応する表示変更をテレビジョン２０に実行させる。
図８は、ステップＳ２６０の処理の説明図である。同図に示すように、携帯用コンテンツとＴＶ用コンテンツとは対応付けられており、操作部３３の操作に対応する携帯用コンテンツの制御情報を参照することにより、この制御情報に対応するＴＶ用コンテンツの制御情報を取得することができる。このようにして取得したＴＶ用コンテンツの制御情報に基づいて各種処理を行う。例えば、制御情報が他のウェブページの表示を指示するものであれば、コンテンツ表示部３５は、図７（Ｂ）の経路でテレビジョン２０に送信する。このとき、テレビジョン２０のコンテンツ表示部２６は、図７（Ｃ）の経路でサーバー１０からＴＶ用コンテンツを取得し、取得したＴＶ用コンテンツに基づいて表示部２２に対する表示を行う。
【００５２】
その後、同期マネージャー３４は、ステップＳ２４０と同様の処理を行って、実際に同期が完了したか否かを判断する（ステップＳ２６５）。テレビジョン２０と携帯端末３０とで状態が一致していれば同期が完了しているものとしてステップＳ２５０に戻る。一方、テレビジョン２０と携帯端末３０とで状態が一致していなければ同期に失敗しているものと判断し、ステップＳ２６０の処理を繰り返す。
【００５３】
なお、このステップＳ２６０，２６５やステップＳ２４０，２４５のようにテレビジョン２０の表示を携帯端末３０の表示に同期させる処理が行われている間は、携帯表示制御部３５ｂは、携帯端末３０の操作部３３に対して行われる操作を無効化、もしくは保留する。
また連動状況表示部３５ｃは、ステップＳ２６０，２６５やステップＳ２４０，２４５の処理の間は、ＴＶとの同期状況を示す情報を表示部３２に表示する。例えば、ＴＶアイコンをステップＳ２１５と異なる形状にして変更して表示したり、同期作業の進行度合を示すプログレスバーを表示したりする。このように同期状況を表示することにより、ユーザーは、同期状況を把握できるし、たとえ操作が無効化されていても不審に思うことがない。
【００５４】
以上のコンテンツ表示処理により、ユーザーは所望のタイミングで携帯端末３０とテレビジョン２０の表示を同期させることが出来るようになる。
【００５５】
なお、携帯用コンテンツが決済画面などの高セキュリティを要求する画面を表示するコンテンツの時には、テレビジョン２０にはダミー画面が表示されるようにすることが好ましい。テレビジョン２０はセキュリティの低いインターネットＩＮを通じてサーバー１０と通信しているからである。テレビジョン２０にダミーが面を表示するには、例えば、携帯用コンテンツとＴＶ用コンテンツとを対応しないように構成することにより実現することができる。このようにすると、テレビジョン２０の表示部２２に表示されるＴＶ用コンテンツは、携帯端末３０の表示部３２に表示される携帯用コンテンツとは表示内容が対応しておらず、決済用の情報等も画面に表示されない。また、携帯用コンテンツに対する操作が行われても、表示用コンテンツには対応する操作が発生しないようになる。また、例えば、携帯用データに記載されるＴＶ用情報に、イベントを発生させない情報を記載しておいてもよい。
【００５６】
（４）まとめ：
以上説明した実施形態によれば、サーバー１０に専用通信回線ＰＮを通じてアクセス可能な携帯端末３０において、サーバー１０には携帯用コンテンツとＴＶ用コンテンツが記憶されており、インターネットＩＮを通じてサーバー１０にアクセス可能なテレビジョン２０との間で端末間通信を行う無線通信部３１と、インターネットＩＮを通じてサーバー１０から取得した携帯用コンテンツを表示する表示部３２と、携帯用コンテンツに含まれるＴＶ用コンテンツの所在情報に基づいてテレビジョン２０にサーバー１０からＴＶ用コンテンツを取得させて表示部２２にＴＶ用コンテンツを表示させる同期部とを備えさせている。よって、ネットワークに対応したテレビと携帯端末との連動を向上させ、ウェブ上のサービスを最適な方法で得られるようになる。
【００５７】
なお、本発明は上記実施例に限られるものでないことは言うまでもない。当業者であれば言うまでもないことであるが、
・上記実施例の中で開示した相互に置換可能な部材および構成等を適宜その組合せを変更して適用すること
・上記実施例の中で開示されていないが、公知技術であって上記実施例の中で開示した部材および構成等と相互に置換可能な部材および構成等を適宜置換し、またその組合せを変更して適用すること
・上記実施例の中で開示されていないが、公知技術等に基づいて当業者が上記実施例の中で開示した部材および構成等の代用として想定し得る部材および構成等と適宜置換し、またその組合せを変更して適用すること
は本発明の一実施例として開示されるものである。
【符号の説明】
【００５８】
１０…サーバー、１１…コンテンツ格納部、１２…サーバー処理部、２０…テレビジョン、２１…無線通信部、２２…表示部、２３…操作部、２４…同期マネージャー、２５…テレビ処理部、２６…コンテンツ表示部、３０…携帯端末、３１…無線通信部、３２…表示部、３３…操作部、３４…同期マネージャー、３４ａ…探索部、３４ｂ…同期通信部、３５…コンテンツ表示部、３５ａ…コンテンツ取得部、３５ｂ…携帯表示制御部、３５ｃ…連動状況表示部、１００…情報表示連動システム、ＩＮ…インターネット、ＰＮ…専用通信回線
【図１】
0005573202.tif 000002
【図２】
0005573202.tif 000003
【図３】
0005573202.tif 000004
【図４】
0005573202.tif 000005
【図５】
0005573202.tif 000006
【図６】
0005573202.tif 000007
【図７】
0005573202.tif 000008
【図８】
0005573202.tif 000009